(57)【要約】【課題】絵書き盤に設けた多数の小孔間に紐を張って紐による絵書きを行うものにおいて、盤表面の小孔から小孔へと紐を通し張り付けて行くときに同じ小孔からは紐の出し入れができないため、盤裏面側の小孔間には幾重にも紐を往復させなければ盤表面での紐の張り付けができず、取扱いに手間が掛かりすぎ折角の絵心が阻害される。【解決手段】適宜の大きさ，厚み，材質等による板状の絵書き盤１に、適宜大きさの紐２を通過可能とする多数の小孔３を縦横に適宜の等間隔で配列して設けると共に、該絵書き盤１の裏面側において横方向又は縦方向の各小孔３列の中心線位置に沿って、該小孔３より小径で紐２の裏面側への通過を阻害しないヒゴ状の細棒４を各々係合密接させるべく絵書き盤１の両端部に脱着可能に支承して設けたことを特徴とする紐による絵書き具の構成とする。【選択図】図２
2005329203.tif 000002
【特許請求の範囲】
【請求項１】
適宜の大きさ，厚み，材質等による板状の絵書き盤１に、適宜大きさの紐２を通過可能とする多数の小孔３を縦横に適宜の等間隔で配列して設けると共に、該絵書き盤１の裏面側において横方向又は縦方向の各小孔３列の中心線位置に沿って、該小孔３より小径で紐２の裏面側への通過を阻害しないヒゴ状の細棒４を各々係合密接させるべく絵書き盤１の両端部に脱着可能に支承して設けたことを特徴とする紐による絵書き具。
【発明の詳細な説明】
【技術分野】
【０００１】  この発明は、紐による絵書き具に関し、従来から、幼児向けの紐絵書き具として、適宜大きさの盤面に設けた多数の小孔間に亘って紐を通して張り付けることにより、種々の異なった絵を繰り返し作成できるもの等の分野に属する。
【背景技術】
【０００２】  従来では、適宜厚さを有する板等による絵書き盤に、縦横に適宜の間隔で設けた多数の小孔間に亘って、表面から裏面また更に裏面から表面と紐を通して張り付けて行くことにより希望する絵を作り上げていくものであり、紐の張り付けを解くことによって何度でも異なった絵を繰り返し作成できるもの等が開示されている。（参考文献なし）
【発明の開示】
【発明が解決しようとする課題】
【０００３】  しかし、従来の如き幼児向けの紐絵書き具では、該絵書き盤の小孔から小孔に亘り盤表面から裏面へ裏面から表面へと紐を通して、盤表面に紐を張り付けながら絵を描いていくものであるが、この紐の張り付けに際しては、第１の小孔の裏面側から表面側へ引き出した紐を第２の小孔に向けて表面側に紐を張り付け、この張り付けた紐を第２の小孔の裏面側へ通し、更に、第２の小孔から第３の小孔に向けて表面側に紐を張り付けるためには、先に第２の小孔の裏面側へ通した紐を再び表面側へ引き出す必要があるが、これでは紐が抜けてしまうため、第２の小孔の裏面側の紐を第３の小孔の裏面側を経て表面側へ廻し、第２の小孔に向け表面側に紐を張り付け、この張り付けた紐を第２の小孔の裏面側へ通し第３の小孔の裏面側を経て表面側へ引き出し、この引き出した紐を第４の小孔に向け表面側に張り付けを行うといった手順により、盤表面に対し紐絵書きを行わせるものである。【０００４】  このように、第２の小孔から第３の小孔へ向け盤表面に紐を張り付けるときに、第２と第３の小孔間の表面側及び裏面側に亘って折り返し一回り紐を巻き付ける状態となり、このような状態は一つ置きに小孔間で発生する大変に面倒なものであると同時に、紐の張り付けを解くときにも盤裏面に幾重にも張り付けた紐を解くのに多大な労力を必要とし、更には、各小孔間に張り付けた紐が弛み易く、この浮き上がった紐を引き締めるために面倒な手間を必要とすること等により、幼児等においては取扱いに手間が掛かりすぎ折角の絵心が阻害されるという難点があった。そこで、これらの難点を解決して容易に紐絵書きを可能とし、絵心が阻害されない紐による絵書き具を提供しようとするものである。
【課題を解決するための手段】
【０００５】  請求項１の発明は、適宜の大きさ，厚み，材質等による板状の絵書き盤１に、適宜大きさの紐２を通過可能とする多数の小孔３を縦横に適宜の等間隔で配列して設けると共に、該絵書き盤１の裏面側において横方向又は縦方向の各小孔３列の中心線位置に沿って、該小孔３より小径で紐２の裏面側への通過を阻害しないヒゴ状の細棒４を各々係合密接させるべく絵書き盤１の両端部に脱着可能に支承して設けたことを特徴とする紐による絵書き具の構成とする。【０００６】  このような構成により紐絵書きを行うときは、該絵書き盤１の表面に小孔３ａから小孔３ｂへ紐２を張り付けて小孔３ｂの裏面側へ通し、この裏面側へ通した紐２を細棒４に巻き掛けて再び小孔３ｂの表面側へ引っ張り出し、次に、小孔３ｂから小孔３ｃへ紐２を張り付けて小孔３ｃの裏面側へ通し、この裏面側へ通した紐２を細棒４に巻き掛けて再び小孔３ｃの表面側へ引っ張り出し、更に、小孔３ｃから小孔３ｄへ紐２を張り付けて小孔３ｄの裏面側へ通し、この裏面側へ通した紐２を細棒４に巻き掛けて再び小孔３ｄの表面側へ引っ張り出すといった手順により紐絵書きを行うことができる。【０００７】  上記の如き手順により紐絵書きを行うときに、更に、異なった紐絵書きを行わんとするときは、該絵書き盤１から紐２を巻き掛けた各細棒４を全て取り外し紐２を盤表面側から引っ張ることにより、各小孔３に通して張り付けられていた紐２は各細棒４の支持が外れ一斉に各小孔３から盤表面へ引き出され張り付けを解くことができ、次に、該各細棒４を各々元の位置に取り付けることにより、新しく紐２を各小孔３に通して張り付け、更に、前記と異なった紐絵書きを行うことができる。
【発明の効果】
【０００８】  請求項１の発明では、上記作用の如く、該絵書き盤１の表面において、該小孔３ａから小孔３ｂへ、次に小孔３ｂから小孔３ｃへ、更に小孔３ｃから小孔３ｄへと各々紐２を通し張り付けて絵書きを行うときに、各小孔３の裏面側へ通した紐２を各細棒４を利用して再び同じ各小孔３の表面側へ引き出すことができ、各小孔３間に対する紐２の張り付けを単純な工程で行うことが可能になると共に、各小孔３間に張り付けた紐の弛みも極力抑えることができるから、従来の如く、該絵書き盤１に紐２を張り付ける際に幾度も盤裏面に無駄な紐２を通すという面倒な手順を踏む必要がなく、各小孔３間に張り付けた紐２の弛みによる浮き上がりを引き締めるための面倒な手間も必要とせず、幼児等においても取扱いが簡単で容易に紐絵書きが可能になると共に、介護用として手先の訓練等を行うときに優れた効果を発揮できるものである。【０００９】  更に、該紐２により異なった絵書きを行わんとするときは、該絵書き盤１から各細棒４を全て取り外し紐２を盤表面側から引っ張ることにより、各小孔３に通して張り付けられていた紐２の張り付けを一斉に解くことができるから、従来の如く、種々の異なった絵を繰り返し作成する際に、盤裏面に幾重にも張り付けた紐２を解くために多大な労力を必要とすることがなく、取扱いが簡単で容易に紐２により繰り返し絵書きが可能となり、このような紐絵書きを楽しみながら創造性を養うための有効活用を図ることができる。
【発明を実施するための最良の形態】
【００１０】  板状の絵書き盤１に等間隔で配列した多数の小孔３に、適宜大きさの紐２を通して張り付け該盤１の表面側に紐絵書きを行うときに、該盤１の裏面側に係合密接させた細棒４を利用することにより、該紐２の張り付けや解き放しが簡単となり、容易に紐絵書きを行うことができる紐による絵書き具の実施形態を示すものである。【００１１】  以下に、この発明の実施例を図面に基づいて説明する。
図１及び図２に示す如く、適宜の大きさ，厚み，材質等による板状の絵書き盤１に、適宜の大きさで先端を小孔３に通し易いよう加工した紐２を通過可能とする多数の小孔３を縦横に適宜の等間隔で配列して設けると共に、該絵書き盤１における各小孔３の横方向各列の中心線位置に沿って、該紐２を小孔３に通すときに該盤１の裏面側Ｒにおいて邪魔にならないよう、該小孔３より小径でヒゴ状の各細棒４を該盤１の左右幅一杯に亘って裏面側Ｒに各々係合密接状態に配設して構成させる。【００１２】  該絵書き盤１の両端側において、各小孔３の横方向各列の中心線位置に沿った裏面側Ｒに各々係合密接状態に配設させた各細棒４の両端部を、各々該盤１の裏面側Ｒにおいて抜き差し脱着自在な適宜圧力により支承保持させる連続の棒支承紐５を設けると共に、この棒支承紐５によって各細棒４を支承保持する保持孔６を各細棒４を挟む位置に各々配設して構成させる。【００１３】  このような構成により紐絵書きを行うときは、図３に示す如く、先ず、該各細棒４を絵書き盤１における各小孔３の横方向各列の中心線位置に沿って各々配置し、この配置した各細棒４の両端部位置を各々棒支承紐５により該盤１の裏面側Ｒにおいて巻き掛け、この巻き掛けた棒支承紐５を表面側Ｆに回すといった巻き掛け作用を次々に連続して行うことにより、該各細棒４を裏面側Ｒにおいて各々抜き差し脱着自在な適宜圧力により係合密接して支承保持させる。【００１４】  このように該絵書き盤１の裏面側Ｒにおいて、各小孔３の横方向各列の中心線に沿った位置に各々細棒４を取り付けた状態において、図４及び図５に示す如く、該紐２（適宜配色を使用）により絵書きを行うときは、先ず、小孔３ａの裏面側Ｒから表面側Ｆへ紐２を通し、この紐２を小孔３ｂへ向けて張り付け、この紐２を小孔３ｂの表面側Ｆから裏面側Ｒへ通し、この紐２を該細棒４に巻き掛け、この巻き掛けた紐２を再び同じ小孔３ｂの裏面側Ｒから表面側Ｆへ通し、この紐２を小孔３ｂから小孔３ｃへ、更には、小孔３ｃから小孔３ｄへと張り付け紐絵書きを続けて行わせる。【００１５】  このような紐絵書きを行うときに、図６に示す如く、色々に図柄を切り替えて描くことができるが、特に、円等を描く際に紐２による対応が無理なときは小孔３に別の小物を取り付けてもよい。なお、図柄を別物に切り替えるときは、図柄に関係している紐２を支持している該細棒４を棒支承紐５から取り外し、該絵書き盤１の表面側Ｆから紐２を引っ張ることによって図柄を形成している紐２を解き放し簡単に図柄を消去することが可能であり、この図柄を消去した後各細棒４を元に戻して新たな図柄を作成することができる。【００１６】  これらの紐絵書きを行うとき、従来では、該小孔３間に張り付けた紐２が何も抵抗となるものがなく浮き上がり易く、この浮き上がりを防止するため紐２を張り付ける度に引締めが必要になるという面倒な手間が発生したが、本案の如く、該細棒４を利用することにより紐２に抵抗が掛かり弛みが少なくなるため引き締めの手間を省略することが可能となった。【００１７】  また、図７に示す如く、該絵書き盤１の裏面側Ｒの各細棒４の配置位置に、各細棒４の取り付けを容易に行うことができるよう案内する案内溝４ａを設けるように構成してもよく、また、図８に示す如く、該棒支承紐５の代わりに各細棒４に対応して支承する孔を多数設けた適宜材質による帯状の棒支承板５ａを、該絵書き盤１の左右両端部位置に各々固定させるよう構成してもよい。なお、該各細棒４については材質を指定する必要はなく、中実でも中空でも差し支えないものである。
【図面の簡単な説明】
【００１８】
【図１】多数の小孔に紐を張り付け絵書きを行う絵書き盤の形状配置を示す表面図。
【図２】多数の小孔に紐を張り付け絵書きを行う絵書き盤の形状配置を示す裏面図。
【図３】絵書き盤に配置した細棒を支承する棒支承紐の支承保持状態を示す側面図。
【図４】絵書き盤に配置した細棒の利用による紐絵書き状態の紐配置を示す表面図。
【図５】絵書き盤に配置した細棒の利用による紐絵書き状態の紐配置を示す側面図。
【図６】絵書き盤の表面側に色々な絵柄による絵書きを例示した状態を示す表面図。
【図７】絵書き盤に配置する細棒を挿入容易に案内する案内溝の状態を示す斜視図。
【図８】棒支承紐の代わりに棒支承板により細棒を支承保持する状態を示す斜視図。
【符号の説明】
【００１９】１．絵書き盤
２．紐
３．小孔
４．細棒
【図１】
2005329203.tif 000003
【図２】
2005329203.tif 000004
【図３】
2005329203.tif 000005
【図４】
2005329203.tif 000006
【図５】
2005329203.tif 000007
【図６】
2005329203.tif 000008
【図７】
2005329203.tif 000009
【図８】
2005329203.tif 000010